(57)【要約】【課題】幼稚園や小・中学校又は高等学校、あるいは成人太鼓チーム等で和太鼓を気楽に教えることのできる和太鼓装置を提供すること。【解決手段】和太鼓装置１は、それぞれ８音に調律された和太鼓１０と、和太鼓１０を並設する太鼓台２とを備えて構成する。和太鼓１０は、両端を開口する筒状の胴体部１１と、張設された水牛製の皮革部１２１を有して胴体部１１の一端を塞ぐ鼓面形成部１２と、皮革部１２１の張り具合を調整する調整部材１３とを有して、それぞれの和太鼓１０を、音階となす８音のいずれかに調律する。太鼓台２は、各和太鼓１０を収納する太鼓支持板２０と、太鼓支持板２０に対して内側に折畳み可能に構成する左右一対の脚部本体２２と、脚部本体２２に着脱可能に配置する連結脚部２３とを備えている。太鼓支持板２２に各和太鼓１０を音階順に並設することによって、和太鼓１０で音楽を演奏する。【選択図】図２
2006106178.tif 000002
【特許請求の範囲】
【請求項１】
筒状の胴体部と、前記胴体部の一端に張設された皮革部とを備えて形成される少なくとも８個の和太鼓が、音階をなす８音にそれぞれ音程を調律されて、太鼓台に配置されるとともに、前記皮革部が水牛の皮で形成されていることを特徴とする和太鼓装置。
【請求項２】
前記皮革部の厚みが、音程の低い方から高い方に向かうにしたがって順に薄く形成されていることを特徴とする請求項１記載の和太鼓装置。
【請求項３】
前記皮革部が、張り具合を調整する調整部材に連結されていることを特徴とする請求項１又は２記載の和太鼓装置。
【請求項４】
前記胴体部は、それぞれの音階をなす８音別に長さ調整されていることを特徴とする請求項１，２又は３記載の和太鼓装置。
【請求項５】
前記太鼓台は、太鼓支持板と一対の脚部とを備え、前記脚部が前記太鼓支持板に対して折畳み可能に構成されていることを特徴とする請求項１乃至４のいずれかに記載の和太鼓装置。
【請求項６】
前記脚部は、高さ調整可能に構成されていることを特徴とする請求項５記載の和太鼓装置。
【発明の詳細な説明】
【技術分野】
【０００１】
本発明は和太鼓を太鼓台にセットした和太鼓装置に関する。
【背景技術】
【０００２】
近年、幼稚園や小・中学校又は高等学校において和太鼓を教えることがあり、そのために和太鼓を太鼓台に載せて練習させるケースが増えてきている。従来の和太鼓は、例えば、特許文献１で示すように、両端が開口した胴体部に、両開口部を塞ぐように皮革部を張設して構成された鼓面形成体を装着している。
【０００３】
従来の皮革部は、特許文献１にも記載されているように、牛皮が一般的に使用されている。また、この特許文献１では、胴体本体には、隔壁部が配置されていて、胴体本体の上下面に張着された皮革部との間に、２室を形成していた。隔壁部には、中央部に通し孔が形成され、２室は通し孔で連通することとなっていた。そしてこの通し孔の径を変えるとともに皮革部の張り具合を調節することによって、８個の太鼓をセットにすると、音階順に低い「ド」から高い「ド」まで並べることができ、太鼓で音階を綴ることができることとなっていた。
【特許文献１】特開２００２−１５６９６５公報（３〜５頁、図３参照）
【発明の開示】
【発明が解決しようとする課題】
【０００４】
しかし、特許文献１の発明では、太鼓を８個並べて音階を綴ることができるものの、牛皮で形成された皮革部は、湿気を吸収しやすく、湿度の変化で音程が狂いやすく調律することが難しかった。
【０００５】
本発明は、上述の課題を解決するものであり、湿度の変化に強い皮革部を使用することによって、湿度の変化で音程が狂いにくい和太鼓装置を提供することを目的とする。
【課題を解決するための手段】
【０００６】
本発明に係る和太鼓装置は、上記の課題を解決するために、以下のように構成するものである。すなわち、
請求項１記載の発明では、筒状の胴体部と、前記胴体部の一端に張設された皮革部とを備えて形成される少なくとも８個の和太鼓が、音階をなす８音にそれぞれ調律されて、太鼓台に配置され、前記皮革部が水牛の皮で形成されていることを特徴とするものである。
【０００７】
請求項２記載の発明では、前記皮革部の厚みが、音程の低い方から高い方に向かうにしたがって順に薄く形成されていることを特徴としている。
【０００８】
請求項３記載の発明では、前記皮革部が、張り具合を調整する調整部材に連結されていることを特徴としている。
【０００９】
請求項４記載の発明では、前記胴体部は、それぞれの音階をなす８音別に長さ調整されていることを特徴としている。
【００１０】
請求項５記載の発明では、前記太鼓台は、太鼓支持板と一対の脚部とを備え、前記脚部が前記太鼓支持板に対して折畳み可能に構成されていることを特徴としている。
【００１１】
請求項６記載の発明では、前記脚部は、高さ調整可能に構成されていることを特徴としている。
【発明の効果】
【００１２】
請求項１記載の発明によれば、この和太鼓装置は、少なくとも８個の和太鼓がそれぞれ音階（ド・レ・ミ…）ごとに太鼓台に並設されている。和太鼓は、筒状の胴体部と、胴体部における一方の端部に装着される皮革部とを備えていることから、皮革部を上方にして太鼓台にセットすることによって、胴体部は下方が開口された状態で配置されることとなり、シロホンにおけるパイプ体と同様に形成することができる。しかも皮革部が水牛の皮で形成されている。水牛の皮は水に強く水を吸収しにくく形成されていることから、多少の湿気の変化があっても張り具合は影響されない。そのため、一旦、調律すれば各和太鼓の音程を保持できることから、安定した音楽を奏することができる。
【００１３】
従って、和太鼓で簡単な音楽を演奏することがでることから、例えば幼稚園や小・中学校又は高等学校の教育のなかで採用できることとなり、今まで縁遠かった和太鼓を親しむことができる。しかも、皮革部を片側だけに装着していることから廉価にできる。
【００１４】
請求項２記載の発明によれば、水牛の皮で形成された各和太鼓の皮革部は、低い音程から高い音程に向かうにしたがって、その厚みを薄く形成している。つまり、低いドに対応する和太鼓は皮革部の厚みが厚く、順に薄く形成されて高いドに対応する和太鼓は、皮革部の厚みが一番薄く形成されている。従って、音程の異なる８音を容易に作ることができる。
【００１５】
請求項３記載の発明によれば、繰り返しの練習後には、皮革部の張り具合が変化しやすいので、調整部材で皮革部の張り具合を調整することによって、和太鼓の調律を行うこととなり、各音階の音程を所定範囲内で維持することができる。
【００１６】
請求項４記載の発明によれば、それぞれの和太鼓の胴体部は、８音ごとにその長さを変えていることから、和太鼓の響きを音程に合わせて出すことができる。しかも、胴体部の長さが順に長く（あるいは短く）なることから、見た目にもよく商品価値を向上することができる。
【００１７】
請求項５記載の発明によれば、太鼓台は、脚部を太鼓支持板に対して折畳むことによって、コンパクトに収納することができる。しかも保管場所のスペースをとらないことから、和太鼓装置を保管場所に収納することによる保管場所の拡充を図る必要がない。
【００１８】
請求項６記載の発明では、子供と大人が交替して和太鼓を叩く場合には、脚部が高さ調整可能に構成されていることから、それぞれの高さに容易に合わせることができる。
【発明を実施するための最良の形態】
【００１９】
次に、本発明の一形態における和太鼓装置を図面に基づいて説明する。以下に説明する和太鼓装置は、音程の異なる複数の和太鼓をそれぞれ順に並設することによって、誰でも和太鼓で音楽を演奏できるようにするものである。
【００２０】
図１〜２は、和太鼓装置１を示すものであり、音程の異なる８音、例えば、音階（ド・レ・ミ・…）のいずれかに調律された各和太鼓１０《ド（１０c）・レ（１０ｄ）・ミ（１０ｅ）・ファ（１０ｆ）・ソ（１０ｇ）・ラ（１０ａ）・シ（１０ｂ）・ド（１０Ｃ）》と、各和太鼓１０を順に配置する太鼓台２とを有して構成されている。
【００２１】
和太鼓１０は、図３〜４に示すように、両端が開口した筒状の胴体部１１と、胴体部１１の一端に張設された鼓面形成部１２と、鼓面形成部１２の張り具合を調整する複数の調整部材１３とを備えて廉価に構成されている。
【００２２】
胴体部１１は、塩化ビニール等のプラスチック製で形成されるとともに８個の各和太鼓１０が略同径の円筒状に形成され、音程の低い順(ド・レ・ミ・…)に軸心方向の長さが長く形成されている。胴体部１１の側面部には、外周面に沿って複数の雌ねじ１１１が形成され、それぞれの雌ネジ１１１に円環状の頭部を有する固定ネジ部材１１２がそれぞれ螺合して配置されている。
【００２３】
鼓面形成部１２は、湿度変化の少ない水牛の皮で形成された円板状の皮革部１２１と、皮革部１２１の縁部を巻き付ける金属製リング状の枠部１２２と、を有し、皮革部１２１の縁部を枠部１２２で折り返して重ね合わせられた部位に、紐部材１２３で縫合することによって形成される。巻き付けられた皮革部１２１の裏面側端部は、胴体部１１の外周面を略覆う程度まで延設する。
【００２４】
皮革部１２１の周縁部には、中心部から放射線方向に沿って複数(図例においては３箇所)の孔が形成され、後述の調整部材１３の上フック部１３１が掛止する掛止孔１２１ａとして形成されている。
【００２５】
それぞれの皮革部１２１は、厚みが異なり、音程の低い方から高い方に向かうにしたがって、順に薄く形成されている。つまり、低いドに対応する和太鼓１０は皮革部１２１の厚みが厚く、順に薄く形成されて高いドに対応する和太鼓１０は、皮革部１２１の厚みが一番薄く形成されている。従って、音程の異なる８音を容易に作ることができる。
【００２６】
調整部材１３は、タンパックルを構成し、皮革部１２１の掛止孔１２１ａに一端を掛止する上フック部１３１と、胴体部１１に螺着された固定ネジ部材１１２の一端を掛止する下フック部１３２と、上フック部１３１と下フック部１３２とをそれぞれ螺合して連結する調整ネジ部材１３３とを備えている。
【００２７】
上フック部１３１と下フック部１３２に形成された雄ねじ部１３１ａ、１３２ａは、それぞれ逆ねじに形成され、そのため上フック部１３１に形成される雄ねじ部１３１ａと下フック部１３２に形成される雄ねじ部１３２ａに螺合する調整ネジ部材１３３の螺合部はそれぞれ逆ネジに形成されることとなる。
【００２８】
調整ネジ部材１３３は、上フック部１３１の雄ねじ部１３１ａに螺合する雌ねじ部と下フック部１３２の雄ねじ部１３２に螺合する雌ねじ部とを有して略矩形枠状に形成されている。
【００２９】
従って、調整ネジ部材１３３を一方の方向に回転することによって、上フック部１３１と下フック部１３２とは、お互いに近づく方向に移動することとなり、固定側の下フック部１３２に対して、可動側の上フック部１３１が皮革部１２１を引っ張ることになって張り具合を強くすることができる。また、調整ネジ部材１３３を逆の方向に回転させることによって、上フック部１３１と下フック部１３２とは、お互いに離れる方向に移動することとなり、皮革部１２１の張り具合を緩めることとなる。
【００３０】
上記の和太鼓１０を製作する場合、まず、胴体部１１に３個の固定ネジ部材１１２を取り付け、調整部材１３の下フック部１３２を固定ネジ部材１１２の円環部に掛止して仮取付しておく。
【００３１】
一方、皮革部１２１を枠部１２２に巻き付け紐部材１２３で手縫いを行って鼓面形成部１２を単体で形成しておく。この単体の鼓面形成部１２の皮革部１２１を叩くことによって、音階の中のいずれかの音として選択する。
【００３２】
いずれかの音として選択された鼓面形成部１２に相当する胴体部１１を選択して、この胴体部１１の一端側に、選択された鼓面形成部１２を配置する。調整部材１３の上フック部１３１を皮革部１２１の掛止孔１２１ａに掛止して和太鼓１０を組付ける。
【００３３】
胴体部１１の長さは、必ずしも、音程の低い順に長くなるとは限らないが、音低の低い順に胴体部１１の長さを長くすることが、胴体部１１の長さが左から順に短くなることから、見た目にもよくなって望ましい。
【００３４】
音の調律は、調整部材１３の調整ネジ部材１３３を回転させて皮革部１２１の張り具合を調整することによって行う。これによって８音の音階のいずれかの音に調律された和太鼓１０が完成されることとなる。
【００３５】
一形態の太鼓台２は、図２又は図５〜６に示すように、太鼓支持板２０と、太鼓支持板２０の両端部の下方に配置される一対の脚部２１とを有して構成され、脚部２１は、脚部本体２２と、脚部本体２２の下方で着脱可能に配置される連結脚部３０と、一対の連結脚部３０、３０を着脱可能に連結する連結部材３５とを備えている。
【００３６】
太鼓支持板２０は、長尺状の矩形板状に形成され、それぞれの和太鼓１０を収納する収納孔部２０１（図１参照）が、８箇所分、前後方向に２列に分離してジグザグ状に形成されている。
【００３７】
収納孔部２０１は、図１に示すように、和太鼓１０の胴体部１１を収納する円形部２０１ａが形成され、さらに、円形部２０１ａから外周方向に向かって調整部材１３を収納する切欠き孔２０１ｂが、中心から放射線状に３箇所に配置して形成されている。この収納孔部２０１は、子供が和太鼓１０を叩きやすいように、前後方向（短手方向）の収納孔部２０１のピッチ間隔をできるだけ近づけて形成することが望ましい。
【００３８】
なお、太鼓支持板２０は、長尺状に形成されていることからそりが発生しやすい。そのために、長手方向の両側部には、太鼓支持板２０と別に形成された板材を装着してそりを防止するようにしてもよい。
【００３９】
脚部本体２２は、太鼓支持板２０の端部付近から、下方に延設して配置され、太鼓支持板２０の下面と脚部本体２２の裏面との間に蝶番３１で連結して、太鼓支持板２０の下面側に折畳むことができるように装着されている。
【００４０】
さらに、脚部本体２２は、太鼓支持板２０の高さ調整ができるように、連結脚部３０を挿入可能に形成されている。つまり、脚部本体２２は、矩形板状の一方の面に周縁部２３１を残して中央部に凹部２３２が形成されるベース部２３と、凹部２３２の底面２３３に一方の面が当接可能に配置される位置基準板２４と、位置基準板２４を表面側から支持する支持柱２５と、支持柱２５と並列して配置される主支持柱２６とを有している。図６に示すように、主支持柱２６は、断面Ｌ字状に形成され、支持柱２５は、断面矩形状に形成されている。
【００４１】
位置基準板２４は、ベース部２３の一方の周縁部２３１に対向する側面が、複数（図例では２個）のコイルばね２７で付勢され、その反対側の面に複数の略鋸歯状の係合歯部２４１が形成されている。さらに、位置基準板２４には、位置基準板２４をコイルばね２７側に移動するための手操作部２４２が凹状に形成されている。そして、凹部２３２の底面２３３と、主支持柱２６、支持柱２５、位置基準板２４の係合歯部２４１との間に、連結脚部３０が挿入するための通路２８が形成されている。
【００４２】
なお、ベース部２３には、下側の周縁部２３１に連結脚部３０を挿入するための挿入孔部２３４が通路２８に連接するように形成されている。
【００４３】
連結脚部３０は、キャスタ３２を一対有する連結脚部本体３１と、連結脚部本体３１から立ち上がるとともに脚部本体２２の通路２８に挿入される連結板３３とを有している。
【００４４】
連結脚部本体３１は、一方が長尺状の矩形板状に形成され、内側面の中央上部に、連結部材３５の一端と係合する係合雌部３１１が連結脚部本体３１の中央上部から凹状に形成されている。
【００４５】
連結板３３は連結脚部本体３１より薄板で矩形板状に形成されるとともに、脚部本体２２の通路２８に挿入され、位置基準板２４の係合歯部２４１に係合可能な複数の鋸歯状の歯部３３１を形成している。
【００４６】
連結部材３５は両端部に突出するボス部３５１が形成され、上述の連結脚部本体３１の係合雌部３１１と係合可能に形成される。
【００４７】
次に、上記のように構成された和太鼓装置１の作用について説明する。
【００４８】
和太鼓装置１は、使用前では、例えば、脚部本体２２から連結脚部３０を脱着した状態で、脚部本体２２を折畳んで倉庫に収納されている。そして、脚部本体２２を開いた状態で、両脚部本体２２、２２の下方に連結脚部３０を装着し、一対の連結脚部本体３１、３１の各係合雌部３１１、３１１に連結部材３５のボス部３５１，３５１を係合して組立てる。
【００４９】
なお、和太鼓装置１を使用する者が子供である場合、太鼓台２を子供用の高さに合わせる。つまり、実施形態の場合、脚部本体２２の位置基準板２４を、手操作部２４２をコイルばね２７の付勢力に抗してコイルばね２７側に引っ張る。すると、脚部本体２２内に形成された通路２８は、連結脚部３０の連結板３３を挿入可能に広がることから、連結板３３を、連結脚部本体３１を装着した状態で通路２８内に挿入する。連結板３３を通路２８の奥深くまで挿入すると、太鼓支持板２０は、その高さ位置が低くなるように調整される。連結板３３の歯部３３１が、位置基準板２４の係合歯部２４１の所定の係合位置で係合すると、位置基準板２４をコイルばね２７の付勢力で押圧して連結板３３を固定する。これによって太鼓台２が、その高さ調整された位置で固定される。
【００５０】
太鼓台２の組付が完了すると、太鼓支持板２０の収納孔部２０１に８個の和太鼓１０を収納する。和太鼓１０は、３個の調整部材１３を各切欠き部２０１ｂに合わせながら胴体部１１を円形部２０１ａに収納する。この並べ方は、図１又は図２に示すように、音程の低い順に前列左、後列左の順に並べる。つまり、前列左端には、低い「ド」に調律された和太鼓１０ｃ、後列左端には、「レ」に調律された和太鼓１０ｄ、続いて左から順にジグザグ状に、「ミ」（和太鼓１０ｅ）・「ファ」（和太鼓１０ｆ）・「ソ」（和太鼓１０ｇ）・「ラ」（和太鼓１０ａ）・「シ」（和太鼓１０ｂ）・「ド」（和太鼓１０Ｃ）と、それぞれ調律された和太鼓１０が並設されることとなる。
【００５１】
なお、和太鼓１０の並べ方は、上記に限らず、例えば、図７に示すように、平面視円弧状に形成した太鼓支持板２０Ａに左から順に音程の低い順にそれぞれの和太鼓１０を並べてもよい。この太鼓支持板２０Ａでは、和太鼓１０を叩く人を中心にて８個の和太鼓１０が略等間隔に並設されていることから、小さい子供でも叩きやすい。
【００５２】
上述のように、実施形態の和太鼓装置１は、８音の音階に調律された和太鼓１０を音階順に並べて太鼓台２に収納していることから、子供たちが撥で各和太鼓１０を叩くことによって、音楽を演奏することができ、今まで縁遠いと感じていた和太鼓を親しむことができる。しかも、皮革部１２１が水牛の皮で形成されている。水牛の皮は、牛皮と異なり、水を吸収ににくいことから湿気に強く、湿度が高くても音程の狂いが少ない。そのため、一旦、調律すれば安定した音程を維持することができることとなる。従って、音階となす８音に調律した和太鼓１０を並設する和太鼓装置１では、安定した音程で奏することができて音楽を楽しむことができる。
【００５３】
また、鼓面形成部１２における皮革部１２１の張りが緩んできたとしても、調整部材１３の調整ネジ部材１３３を回転操作するだけで調律できることから、繰り返しの練習後でも、所定範囲内の音程で各音階を作ることができる。
【００５４】
しかも、太鼓台２が、折畳み式に構成されていることから、載置スペースを少なくして倉庫にコンパクトに収納することができる。
【００５５】
なお、本発明の和太鼓装置は、上記の形態に限るものではなく、特に、太鼓台２は、図８〜１０に示すものであってもよい。
【００５６】
この形態の太鼓台４は、太鼓支持板４０と、太鼓支持板４０の両端部の下方に配置される一対の脚部４１とを有して構成され、脚部４１は、脚部本体４２と、脚部本体４２の下方で着脱可能に配置される一対の連結脚部４３、４３と、一対の連結脚部４３、４３を着脱可能に連結する連結部材５０とを備えている。
【００５７】
太鼓支持板４０は、長尺状の矩形板状に形成され、前述の形態と同様、それぞれの和太鼓を収納する収納孔部を８箇所分、前後方向に２列に分離してジグザグ状に形成している。
【００５８】
脚部本体４２は、太鼓支持板４０の端部付近から、下方に延設して配置され、太鼓支持板４０の下面と脚部本体４２の裏面との間に蝶番５１で連結して脚部本体４２を太鼓支持板４０の下面側に折畳み可能に装着している。脚部本体４２の表面側には、ロック部材５２が装着され、太鼓支持板４０の側部に掛止可能に構成されている。
【００５９】
脚部本体４２の下面には角状孔４２１が形成され、後述の連結脚部４３の高さ調整部材４８を嵌入可能としている。
【００６０】
連結脚部４３は、下部に配置する一対のキャスタ４４・４４と、長尺角柱状の下段部４６及び角状孔４７１を備える短尺状の上段部４７を有して２段に形成される支持脚部４５と、上段部４７の角状孔４７１に摺動可能に配置される高さ調整部材４８とを備えて構成されている。
【００６１】
高さ調整部材４８は、下部を支持脚部４５の角状孔４７１に挿入されるとともに、上部を脚部本体４２の角状孔４２１に挿入される。また、高さ調整部材４８には２箇所の貫通孔４８１が形成され、支持脚部４５の上段部４７でいずれかの貫通孔４８１にねじ部材５３を挿通させて高さ調整可能に配置される。
【００６２】
連結脚部４３の下段部４６に形成された角状の貫通孔４６１には、一対の連結脚部４３、４３を連結する連結部材５０の端部が挿入される。連結部材５０は、ボス部５０１を有して、支持脚部４５に嵌入することによって、折畳み可能の脚部本体４２を開いた状態で支持することとなる。
【００６３】
この形態においても、脚部４１を折畳み可能に構成し、太鼓支持板４０を高さ調整を可能としていることから、前述の形態と同様の効果を有することができる。
【図面の簡単な説明】
【００６４】
【図１】本発明の一形態による和太鼓装置を示す平面図である。
【図２】同正面図である。
【図３】図１における和太鼓を示す断面図である。
【図４】同平面図である。
【図５】図２におけるＶ矢視図である。
【図６】図５におけるVI−VI断面図である。
【図７】太鼓支持板の別の形態を示す平面図である。
【図８】別の形態の太鼓台を示す正面一部断面図である。
【図９】同側面図である。
【図１０】図８の太鼓台における連結脚部を示す分解斜視図である。
【符号の説明】
【００６５】
１、和太鼓装置
２、太鼓台
１０、和太鼓
１１、胴体部
１２、鼓面形成部
１２１、皮革部
１３、調整部材
２０、太鼓支持板
２０１、収納孔部
２１、脚部
２２、脚部本体
２３、ベース部
２４、基準脚部
２７、コイルばね
２８、通路
３０、連結脚部
３１、連結脚部本体
３２、連結板
３５、連結部材
【図１】
2006106178.tif 000003
【図２】
2006106178.tif 000004
【図３】
2006106178.tif 000005
【図４】
2006106178.tif 000006
【図５】
2006106178.tif 000007
【図６】
2006106178.tif 000008
【図７】
2006106178.tif 000009
【図８】
2006106178.tif 000010
【図９】
2006106178.tif 000011
【図１０】
2006106178.tif 000012